(57)【要約】【課題】後処理が簡便な高温高圧水処理を用いて、加水分解抽出反応が均一に進み、キシロオリゴ糖を高い含量で含む抽出液を得る抽出方法を提供すること。【解決手段】粉砕された広葉樹を原料とし、高温高圧水循環ラインを備えた反応容器中で、高温高圧水を該原料中に循環させることにより、原料中のヘミセルロースを加水分解抽出するキシロオリゴ糖の製造方法であって、上記高温高圧水の重量が該原料の乾燥重量に対して１０〜９０倍であり、温度が１８０〜２００℃であることを特徴とするものである。上記高温高圧水の循環速度は、０．５〜２．０循環／ｍｉｎであることが好ましい。【選択図】なし【特許請求の範囲】
【請求項１】
粉砕された広葉樹を原料とし、高温高圧水循環ラインを備えた反応容器中で、高温高圧水を該原料中に循環させることにより、原料中のヘミセルロースを加水分解抽出するキシロオリゴ糖の製造方法であって、上記高温高圧水の重量が該原料の乾燥重量に対して１０〜９０倍であり、温度が１８０〜２００℃であることを特徴とするキシロオリゴ糖の製造方法。
【請求項２】
高温高圧水の循環速度が０．５〜２．０循環／ｍｉｎである請求項１記載のキシロオリゴ糖の製造方法。
【発明の詳細な説明】
【技術分野】
【０００１】
本発明は、広葉樹を原料とし、高温高圧水処理によりキシロオリゴ糖を製造する方法に関するものである。
【背景技術】
【０００２】
近年の健康ブームにより、消費者の健康に対する意識が軒並み高くなっている。それに伴い、健康食品の需要及び売り上げは年々飛躍的に増加しており、また「特定保健用食品」の認可を取得する企業も同様に増加している。特定保健用食品のなかで最も多くを占める素材はオリゴ糖であり、現在上市されているオリゴ糖の種類としてはフラクトオリゴ糖、大豆オリゴ糖、ガラクトオリゴ糖、マルトオリゴ糖、キシロオリゴ糖などがある。これらのオリゴ糖は腸内に生息する悪玉菌であるクロストリジウム属の菌数を減らし、相対的に善玉菌であるビフィズス菌を増加させる効果を有している。この中でもキシロオリゴ糖は最小有効量が０．２〜０．７ｇ／日（菓子総合技術センター：オリゴ糖ハンドブック）と、他のオリゴ糖と比較して一桁少ない量で整腸効果を有する非常に優れたオリゴ糖である。キシロオリゴ糖の製造方法としては、原料を前処理してから、キシラナーゼ等の酵素を用いて生産するのが一般的であるが、前処理として今まで検討されてきたのが、酸・アルカリを用いた化学的処理、爆破等の物理的処理がある。しかし、酸・アルカリを用いると後工程での精製処理に多大なコストがかかり、一方で爆破処理などの物理的処理は、大スケールでの製造を視野に入れた場合、装置の設計及び設備費が甚大なものになるという欠点を有する。
【０００３】
そこで近年注目されているのが、水を反応場に用いた処理（高温高圧水処理）である。水を耐圧容器に入れて高温高圧状態にすることにより、イオン積の増大等、常温常圧下の水とはまったく異なる性質を発現することが知られており、主にケミカルリサイクルの分野で研究開発が行われている。このような性質を利用したオリゴ糖の製造方法として、加圧熱水を連続的に試料中に流通させ、可溶成分を抽出するシステムが提案されている（特許文献１参照）が、抽出されてくる溶液が非常に希薄なため、後工程である濃縮工程で多大なコストが必要となる。また、単にオートクレーブに水と試料を入れて処理する方法もあるが、加温により反応水が対流する以外は特に撹拌を行わないため、オートクレーブ内で温度ムラが発生して反応が均一に進行しないことがある。また、撹拌が弱いため、オリゴ糖を十分に抽出することは難しい。さらに、この方法により得られるのは、単量体であるキシロースを主成分とするもので、高い整腸効果が期待される重合度の高いキシロオリゴ糖を製造することは難しい。
【特許文献１】特開２００２−５９１１８号公報
【発明の開示】
【発明が解決しようとする課題】
【０００４】
本発明は、後処理が簡便な高温高圧水処理を用いて、原料中のヘミセルロースの加水分解反応が均一に進み、キシロオリゴ糖を高い含量で含む抽出液を得ることができるキシロオリゴ糖の製造方法を提供することを目的とする。
【課題を解決するための手段】
【０００５】
本発明者らは、前記課題を解決するために鋭意検討した結果、高温高圧水循環ラインを備えた反応容器中で、高温高圧水を循環させる事により反応容器内の温度ムラを解消でき、これにより加水分解が均一に進行し、キシロオリゴ糖を高い含量で含む抽出液を得られることを見出し、本発明を完成した。
【０００６】
すなわち本発明は、粉砕された広葉樹を原料とし、高温高圧水循環ラインを備えた反応容器中で、高温高圧水を該原料中に循環させることにより、原料中のヘミセルロースを加水分解抽出するキシロオリゴ糖の製造方法であって、上記高温高圧水の重量が該原料の乾燥重量に対して１０〜９０倍であり、温度が１８０〜２００℃であることを特徴とするものである。
【０００７】
上記高温高圧水の循環速度は、０．５〜２．０循環／ｍｉｎ（１分間で０．５〜２．０回循環）であることが好ましい。
【発明の効果】
【０００８】
本発明の製造方法によれば、原料に対して少量の水で加水分解抽出を行うことができ、得られる抽出液は高濃度でキシロオリゴ糖を含んでいるため、後の濃縮工程でのコストを大幅に削減することができる。また、高温高圧水の循環による撹拌効果により、原料中のキシロオリゴ糖を短時間のうちに高い収率で回収することができる。また、抽出に酸、塩基、その他の触媒を要しないため、得られる抽出液はクリーンであり触媒等除去の工程が必要なく、抽出容器が触媒等により腐食する心配もない。
【０００９】
さらに、高温高圧水で処理する際の温度と時間を調整することによって、得られるキシロオリゴ糖の重合度を制御することができるため、特に整腸効果が高いとされる重合度が４〜１０程度の重合体を主成分とするキシロオリゴ糖を製造することができる。
【発明を実施するための最良の形態】
【００１０】
本発明に用いられる原料としては、例えば白樺、ブナ、ミズナラ等の広葉樹を使用できる。なかでも白樺はキシランの含有量が多いため、特に好ましい。これらの原料の形状は、抽出操作を容易にするために、例えばチップ状、繊維状等に粉砕されたものが用いられる。
【００１１】
本発明の方法は、高温高圧水循環ラインを備えた循環式オートクレーブにより実施することができる。図１は本発明の方法によりキシロオリゴ糖を製造するために用いられる装置の一例を示す概略図である。図１中１１はオートクレーブである。オートクレーブ１１から外部に延びる循環用配管１３を取り付け、そこに送液用ポンプ１２を設置する。ポンプを稼働することにより、内容水がオートクレーブ内を矢印で示すように循環するものである。１１、１２及び１３により高温高圧水循環ラインを備えた循環式オートクレーブを構成している。原料をオートクレーブに入れる際は、メッシュ容器１４に原料を入れ、これをオートクレーブ１１内に設置するとよい。これにより原料が送液用ポンプ１２内に進入して不具合を生じるのを防ぐと共に、原料の投入や取り出し等の作業を効率よく行うことができる。メッシュ容器の孔径は特に制限されず、原料が循環ポンプ内に進入するのを防ぐことができれば足りる。メッシュ容器１４を用いる代わりに、適宜なフィルター等を設置して原料が循環ポンプ内に進入するのを防いでもよい。
【００１２】
高温高圧水処理に用いる水の量は、原料の乾燥重量に対して１０〜９０倍、好ましくは３０〜８０倍であり、原料が完全に浸漬し、かつ循環用配管が満たされていることを要する。水の量が原料の乾燥重量に対して１０倍未満では原料を完全に浸漬させることが難しく、又、浸漬できたとしても効率よく加水分解抽出が進行しない。９０倍を超えると抽出液が希薄となり後の濃縮工程にかかるコストが増大する。又、抽出液の量を増やしてもキシロオリゴ糖の収量を増やす効果は得られないため好ましくない。
【００１３】
原料と水とを、上記循環式オートクレーブに入れ、加熱加圧すると共に循環ポンプを稼働させ、反応容器内に水を循環させる。高温高圧水処理する際の温度は１８０〜２００℃、とするのがよい。温度が２００℃より高い場合には原料に含有される難分解性リグニン及びセルロースが加水分解されてキシロオリゴ糖と共に溶出されるだけでなくキシロオリゴ糖及びキシロースの二次分解が進行する。１８０℃未満ではキシロオリゴ糖が加水分解抽出されない。高温高圧水処理に要する時間は、通常３〜３０分程度であり、３０分より長いと、キシロオリゴ糖及びキシロースの二次分解が進行する。
【００１４】
高温高圧水処理時には、循環用ポンプによりオートクレーブ中の高温高圧水を循環させながら加水分解抽出を行う。この際の高温高圧水の循環速度は、通常０．５〜２．０循環／ｍｉｎ、好ましくは１．０〜１．２循環／ｍｉｎとするのがよい。循環速度が０．５循環／ｍｉｎ未満だと、昇温工程、温度一定保持工程時の槽内温度分布にムラを生じさせ、加水分解反応が均一に進行しなくなる。循環速度を２．０循環／ｍｉｎより速くしても反応効率は上がらず生産コストが高くなるばかりか、水が反応容器全体にまんべんなく循環しないなどの不具合を生じやすい。いずれの場合もキシロオリゴ糖を選択的にかつ収率よく得ることが難しくなる。
【００１５】
高温高圧水処理する際の温度と時間を上記範囲内で調節することによって、得られるキシロオリゴ糖成分の重合度を制御することができる。本発明の方法により得られるキシロオリゴ糖は、単量体であるキシロースと２〜１０量体のキシロオリゴ糖との混合物であるが、例えば、２００℃の高温高圧水で５分程度処理すると、３量体以下の含有率が６０％以上であるキシロオリゴ糖組成物が得られ、１８０℃の高温高圧水で２０分程度処理すると、４〜１０量体の含有率が６０％以上であるキシロオリゴ糖組成物が得られる。３量体以下のキシロオリゴ糖組成物は甘味料として有用であり、４〜１０量体のキシロオリゴ糖組成物は整腸効果が高いものとして知られている。用途目的に応じて高温高圧水処理の条件を調節することにより、重合度の分布を調整してキシロオリゴ糖組成物を製造することができる。
【００１６】
高温高圧水処理終了後抽出液は、冷却コイル等により速やかに冷却し、ろ過や遠心分離などの処理により、微小な浮遊物等を除去してもよい。
【００１７】
本発明の方法によれば、原料中のキシロオリゴ糖を高濃度の抽出液として回収できるため、従来の高温高圧水処理方法による場合と比べて、濃縮工程にかかるコストを削減することができる。また、原料中のキシラン成分を短時間で、高い回収率で抽出することができる。さらに、高温高圧水処理時の温度や時間により、得られるキシロオリゴ糖の重合度の分布が異なるため、処理条件を調節することにより、健康効果が特に高いことで注目されている４量体以上のキシロオリゴ糖を主成分とする組成物を選択的に製造することができる。
【実施例】
【００１８】
以下に実施例を挙げて本発明をより詳細に説明するが、本発明はこれらの実施例により何ら制限されるものではない。
【００１９】
（実施例１）
白樺材を粉砕機でチップ化し、メッシュ容器に入れ、このメッシュ容器を循環式オートクレーブ内に設置した。循環式オートクレーブ内に水を白樺材の乾燥重量に対して６０倍量加え、白樺材がすべて水に浸るようにした。循環式オートクレーブのふたを閉めて、加温すると同時に循環ポンプを作動させ、内容水を１循環／ｍｉｎの速さで循環させた。液温が２００℃に達した瞬間から５分間この温度を維持し、反応終了後速やかに冷却コイルで内容水を室温まで冷却した。得られた抽出液を０．４５μｍのフィルターでろ過した。
【００２０】
（実施例２）
高温高圧水処理の条件を温度１８０℃、処理時間１０分間とした以外は実施例１と同様の操作を行い抽出液を得た。
【００２１】
（実施例３）
高温高圧水処理の条件を温度１８０℃、処理時間２０分間とした以外は実施例１と同様の操作を行い抽出液を得た。
【００２２】
（実施例４）
水の量を白樺材の乾燥重量の１０倍とした以外は実施例１と同様の操作を行い抽出液を得た。
【００２３】
（実施例５）
水の量を白樺材の乾燥重量の２０倍とした以外は実施例１と同様の操作を行い抽出液を得た。
【００２４】
（実施例６）
水の量を白樺材の乾燥重量の４０倍とした以外は実施例１と同様の操作を行い抽出液を得た。
【００２５】
（実施例７）
水の量を白樺材の乾燥重量の８０倍とした以外は実施例１と同様の操作を行い抽出液を得た。
【００２６】
（比較例１）
循環式オートクレーブの代わりに通常の反応用オートクレーブを用い、内容水を循環ポンプにより循環させなかった以外は実施例１と同様の操作を行い、抽出液を得た。
【００２７】
（比較例２）
水の量を白樺材の乾燥重量の５倍とした以外は実施例１と同様の操作を行い抽出液を得た。
【００２８】
実施例及び比較例で得た抽出液を以下の方法により分析し、各抽出液中の成分の組成と、溶解しているキシラン成分の収率を求めた。
［成分の組成］
陰イオン交換カラムを装着したＨＰＬＣで分析した。結果を図２に示す。図２（ａ）、（ｂ）、（ｃ）はそれぞれ実施例１、実施例２、実施例３で得られた抽出液の測定結果であり、（ｄ）は比較例１で得られた抽出液の測定結果を示す。各図の横軸は保持時間（Ｒｅｔｅｎｔｉｏｎ  ｔｉｍｅ（ｍｉｎ））、横軸は応答（Ｒｅｓｐｏｎｓｅ）である。
［収率］
ろ過液をＴｒｉｃｈｏｄｅｒｍａｖｉｒｉｄｅ起源キシラナーゼを用いて完全にキシロースにまで分解して、ＨＰＬＣ測定でキシロースを定量することにより、キシロース換算での原料乾燥重量当たりの収率を算出した。結果を表１に示す。なお、原料として用いた白樺材中のヘミセルロース（主にキシラン）含量は２５％である。
【００２９】
【表１】
2006075067.tif 000002
【００３０】
図２より、実施例により得られた抽出液には、Ｘ１（キシロース）に加えてＸ２（キシロビオース）、Ｘ３（キシリロトリオース）が確認され、さらにＸ４（キシロテトラオース）以降のキシロオリゴ糖の存在も示唆された。また、２００℃で高温高圧水処理した実施例１では、Ｘ１（キシロース）を中心として、重合度の低いオリゴ糖が主生成物であるのに対し、１８０℃で高温高圧水処理した実施例２及び３では、Ｘ４（キシロテトラオース）以降のキシロオリゴ糖の含有率が高いことも確認できる。一方で比較例１では、Ｘ１のみがメインピークとして確認され、Ｘ２以降のオリゴ糖はほとんど確認されなかった。また、表１からも明らかなように、比較例ではキシロース換算での収率が木材乾燥重量あたり８．６％であったのに対して、本発明処理法では１７．２４％と著しく高い値を示した。これは、内容水を循環することによる抽出効率の向上、及び試料に対して反応が均一に進行した結果といえる。また、抽出に用いる水の重量を原料の５倍とした比較例２では収率が１０．５４％であったのに対し、高温高圧水処理の温度と時間が同じである実施例１及び４〜７では収率が１３％以上と向上しており、特に、水の重量が原料の６０倍である実施例１では、比較例２の１．６倍の収率でキシラン成分が得られた。本発明の方法においては、抽出に用いる水の量を原料の乾燥重量の１０〜９０倍程度とすることが重要であり、これによりキシロオリゴ糖を効率よく、高収率で製造することが可能となる。
【図面の簡単な説明】
【００３１】
【図１】本発明の製造方法を実施するために用いる装置の一例を示す概略図。
【図２】実施例１、２、３及び比較例１で得られた抽出液のＨＰＬＣ測定結果。
【符号の説明】
【００３２】
１１    オートクレーブ
１２    送液用ポンプ
１３    循環用配管
１４    メッシュ容器
【図１】
2006075067.tif 000003
【図２】
2006075067.tif 000004